(57)【要約】【課題】受信者が取るべき行動が送信者により示されている場合に、運転中の受信者の手間を取らせることなく、その行動に関連する施設へ受信者を案内することを可能とする情報処理装置を提供する。【解決手段】送信者のスマートスピーカＳＫと、受信者のナビゲーション装置ＮＶ及びスマートフォンＳＰ２と、に接続可能なサーバ装置Ｓにおいて、受信者が取るべき行動を示し且つ当該行動に関連する施設へ関連付けられる依頼メッセージをスマートスピーカＳＫから取得する。そして、受信者が車両の運転中である場合において、その施設を示す施設情報をナビゲーション装置ＮＶに対して案内用に送信する。【選択図】図２
2019067140.tif 000002
【特許請求の範囲】
【請求項１】
送信者の送信端末と、受信者の複数の受信端末と、に通信によって接続可能な情報処理装置において、
前記受信者が取るべき行動を示し、且つ当該行動に関連する施設へ関連付けられる行動情報を、前記送信端末から取得する取得手段と、
前記受信者が車両の運転中である場合において、前記関連する施設を示す施設情報を、前記運転の案内を行う前記受信端末に対して、当該案内用に送信する送信制御手段と、
を備えることを特徴とする情報処理装置。
【請求項２】
請求項１に記載の情報処理装置において、
前記送信制御手段は、前記施設情報と共に前記行動情報を前記案内を行う前記受信端末に対して送信することを特徴とする情報処理装置。
【請求項３】
請求項１又は請求項２に記載の情報処理装置において、
前記送信制御手段は、他の前記受信端末にも前記施設情報を送信することを特徴とする情報処理装置。
【請求項４】
請求項１から請求項３のいずれか一項に記載の情報処理装置において、
音声データの内容を認識する認識手段を更に備え、
前記行動情報は前記送信者が発話した前記行動情報に相当する音声データであり、
前記送信制御手段は、前記認識手段による前記行動情報の認識結果に基づいて、前記案内を行う前記受信端末に対して前記施設情報を当該案内用に送信することを特徴とする情報処理装置。
【請求項５】
請求項１から請求項４のいずれか一項に記載の情報処理装置において、
前記案内を行う前記受信端末の位置を示す位置情報を取得する位置情報取得手段と、
前記施設の位置を検索する検索手段と、
前記案内を行う前記受信端末の位置から、検索された前記施設の位置までの経路を探索する探索手段と、
を更に備え、
前記送信制御手段は、前記受信者が前記運転中である場合において、前記案内を行う前記受信端末に対して前記探索された経路を示す経路情報を送信することを特徴とする情報処理装置。
【請求項６】
請求項５に記載の情報処理装置において、
前記検索手段は、前記施設のうち、前記位置情報により示される前記受信端末の位置に最も近い前記施設の位置を検索することを特徴とする情報処理装置。
【請求項７】
請求項５に記載の情報処理装置において、
前記検索手段は、前記施設の位置のうち、予め設定された経路上の前記施設の位置を検索することを特徴とする情報処理装置。
【請求項８】
請求項５から請求項７のいずれか一項に記載の情報処理装置において、
前記案内を行う前記受信端末が前記検索された施設を経由したことを検出する経由検出手段を更に備え、
前記送信制御手段は、前記検索された施設の経由が検出された場合に、当該経由の旨の経由情報を前記送信端末に送信することを特徴とする情報処理装置。
【請求項９】
請求項５から請求項７のいずれか一項に記載の情報処理装置において、
前記施設の位置が検索できない場合、前記送信制御手段は、前記案内を行う前記受信端末への前記施設情報の送信に代えて、当該検索できない旨の検索不能情報を前記送信端末に送信することを特徴とする情報処理装置。
【請求項１０】
送信者の送信端末と、受信者の複数の受信端末と、に接続可能であり、且つ、取得手段と、送信制御手段と、を備える情報処理装置において実行される情報処理方法であって、
前記受信者が取るべき行動を示し且つ当該行動に関連する施設へ関連付けられる行動情報を、前記取得手段により前記送信端末から取得する取得工程と、
前記受信者が車両の運転中である場合において、前記関連する施設を示す施設情報を、前記運転の案内を行う前記受信端末に対して、前記送信制御手段により当該案内用に送信する送信制御工程と、
を含むことを特徴とする情報処理方法。
【請求項１１】
送信者の送信端末と、受信者の複数の受信端末と、に接続可能なコンピュータを、請求項１から請求項９のいずれか一項に記載の情報処理装置として機能させることを特徴とする情報処理用プログラム。
【請求項１２】
請求項１１に記載の情報処理用プログラムが、請求項１１に記載のコンピュータにより読み取り可能に記録されていることを特徴とする記録媒体。
【発明の詳細な説明】
【技術分野】
【０００１】
本願は、情報処理装置、情報処理方法並びに情報処理用プログラム及び記録媒体の技術分野に属する。より詳細には、送信者の送信端末と、受信者の複数の受信端末と、に接続可能な情報処理装置及び当該情報処理装置において実行される情報処理方法、並びに当該情報処理装置用のプログラム及び当該プログラムが記録された記録媒体の技術分野に属する。
【背景技術】
【０００２】
従来、例えば自宅にいる送信者と、車両を運転している受信者と、の間の電話による通話が行われている。このとき、下記特許文献１に記載されている技術では、運転中の受信者の安全を考慮すべく、その受信者の運転状態に基づいて上記通話の制限を行う構成とされている。より具体的には、電話による通話の代わりに、受信者が携帯する携帯型無線電話（以下、単に「携帯電話」と称する）にメッセージを残す構成とされている。
【先行技術文献】
【特許文献】
【０００３】
【特許文献１】特開２００１−１４４８５０号公報
【発明の概要】
【発明が解決しようとする課題】
【０００４】
しかしながら、上記特許文献１に開示されている技術によると、送信者のメッセージの内容を受信者がその携帯電話を用いて確認するためには、当該受信者がそのメッセージを再生又は確認するための別途の操作を当該携帯電話に対して行う必要があるという問題点がある。また、メッセージの内容が例えば送信者からのある施設への立寄依頼であったとしても、そのメッセージの受信者は、依頼対象の施設を自ら例えば運転中の車両に搭載されているナビゲーション装置に入力する操作を行い、更にその操作により入力された情報を用いた施設検索を行う必要があるという問題点もあった。そしてこれらの問題点は、受信者が車両の運転中である場合にはより大きな問題点となる。
【０００５】
そこで本願は、上記の各問題点に鑑みて為されたもので、その課題の一例は、受信者が取るべき行動が送信者により示されている場合に、運転中の受信者の手間を取らせることなく、その行動に関連する施設へ受信者を案内することを可能とする情報処理装置及び当該情報処理装置において実行される情報処理方法、並びに当該情報処理装置用のプログラム及び当該プログラムが記録された記録媒体を提供することにある。
【課題を解決するための手段】
【０００６】
上記の課題を解決するために、請求項１に記載の発明は、送信者の送信端末と、受信者の複数の受信端末と、に接続可能な情報処理装置において、前記受信者が取るべき行動を示し且つ当該行動に関連する施設へ関連付けられる行動情報を、前記送信端末から取得する取得手段と、前記受信者が車両の運転中である場合において、前記関連する施設を示す施設情報を、前記運転の案内を行う前記受信端末に対して、当該案内用に送信する送信制御手段と、を備える。
【０００７】
上記の課題を解決するために、請求項１０に記載の発明は、送信者の送信端末と、受信者の複数の受信端末と、に接続可能であり、且つ、取得手段と、送信制御手段と、を備える情報処理装置において実行される情報処理方法であって、前記受信者が取るべき行動を示し且つ当該行動に関連する施設へ関連付けられる行動情報を、前記取得手段により前記送信端末から取得する取得工程と、前記受信者が車両の運転中である場合において、前記関連する施設を示す施設情報を、前記運転の案内を行う前記受信端末に対して、前記送信制御手段により当該案内用に送信する送信制御工程と、を含む。
【０００８】
上記の課題を解決するために、請求項１１に記載の発明は、送信者の送信端末と、受信者の複数の受信端末と、に接続可能なコンピュータを、請求項１から請求項９のいずれか一項に記載の情報処理装置として機能させる。
【０００９】
上記の課題を解決するために、請求項１２に記載の発明は、請求項１１に記載の情報処理用プログラムが、請求項１１に記載のコンピュータにより読み取り可能に記録されている。
【図面の簡単な説明】
【００１０】
【図１】実施形態に係る情報処理装置の概要構成を示すブロック図である。
【図２】第１実施例に係る情報処理システムの概要構成を示すブロック図である。
【図３】第１実施例に係るサーバ装置等の概要構成を示すブロック図であり、（ａ）は当該サーバ装置の概要構成を示すブロック図であり、（ｂ）は第１実施例に係るスマートスピーカの概要構成を示すブロック図であり、（ｃ）は第１実施例に係るナビゲーション装置の概要構成を示すブロック図であり、（ｄ）は第１実施例に係るスマートフォンの概要構成を示すブロック図である。
【図４】第１実施例に係る情報処理を示すフローチャートである。
【図５】第２実施例に係る情報処理を示すフローチャートである。
【発明を実施するための形態】
【００１１】
次に、本願を実施するための形態について、図１を用いて説明する。なお図１は、実施形態に係る情報処理装置の概要構成を示すブロック図である。
【００１２】
図１に示すように、実施形態に係る情報処理装置Ｓは、取得手段１と、送信制御手段２と、を備えて構成されており、送信者の送信端末ＴＴと、受信者の複数の受信端末ＲＴ１及び受信端末ＲＴ２と、に接続可能とされている。
【００１３】
この構成において取得手段１は、受信者が取るべき行動を示し且つ当該行動に関連する施設へ関連付けられる行動情報を、送信端末ＴＴから取得する。
【００１４】
そして送信制御手段２は、受信者が車両の運転中である場合において、その行動に関連する施設を示す施設情報を、上記運転の案内を行う受信端末ＲＴ１に対して、当該案内用に送信する。
【００１５】
以上説明したように、実施形態に係る情報処理装置Ｓの動作によれば、受信者が車両の運転中である場合において、送信端末ＴＴから取得した行動情報が関連付けられる施設を示す施設情報を、受信者の運転の案内用として、当該運転を案内する受信端末ＲＴ１に送信する。よって、受信者が取るべき行動が送信者により示されている場合に、運転中の受信者の手間を取らせることなく、その行動に関連する施設へ受信者を案内することができる。
【実施例】
【００１６】
次に、上述した実施形態に対応する具体的な実施例について、図面を用いて説明する。なお以下に説明する各実施例は、自宅にいる送信者が操作するいわゆるスマートスピーカ等の送信端末と、車両を運転する受信者の複数の受信端末（例えば受信者が携帯しているいわゆるスマートフォン及び当該車両に搭載されているナビゲーション装置）と、が、例えばインターネット等のネットワークを介してサーバ装置に接続されている情報処理システムに本願を適用した場合の実施例である。
【００１７】
（Ｉ）第１実施例
初めに、上述した実施形態に対応する第１実施例について、図２乃至図４を用いて説明する。なお、図２は第１実施例に係る情報処理システムの概要構成を示すブロック図であり、図３は第１実施例に係るサーバ装置等の概要構成を示すブロック図であり、図４は第１実施例に係る情報処理を示すフローチャートである。このとき図２及び図３では、図１に示した実施形態に係る情報処理装置Ｓにおける各構成部材に対応する第１実施例の構成部材それぞれについて、当該情報処理装置Ｓにおける各構成部材と同一の部材番号を用いている。
【００１８】
図２に示すように第１実施例に係る情報処理システムＳＳは、自宅にいる送信者が操作するスマートスピーカＳＫと、スマートフォンＳＰを携帯する受信者が運転している車両にナビゲーション装置ＮＶが搭載されている場合における当該ナビゲーション装置ＮＶ及び当該スマートフォンＳＰと、サーバ装置Ｓと、により構成されている。そして、当該サーバ装置Ｓと上記スマートスピーカＳＫ、及び当該サーバ装置Ｓと上記ナビゲーション装置ＮＶ及びスマートフォンＳＰが、上記ネットワークＮＷを介して相互にメッセージ等の授受が可能とされており、これにより情報処理システムＳＳでは、以下に詳説する第１実施例に係る情報処理が実行される。ここで上記受信者とは、例えば車両を使って業務を行いその車両で帰宅予定の夫であり、上記送信者とは、例えば自宅にいて夫に帰宅時の買い物を依頼したい妻である。また、上記サーバ装置Ｓが実施形態に係る情報処理装置Ｓの一例に相当し、上記スマートスピーカＳＫが実施形態に係る送信端末ＴＴの一例に相当し、上記ナビゲーション装置ＮＶが実施形態に係る受信端末ＲＴ１の一例に相当し、上記スマートフォンＳＰが実施形態に係る他の受信端末ＲＴ２の一例に相当する。
【００１９】
図２に示す情報処理システムＳＳにおける第１実施例に係る情報処理としては、先ず、送信者たる妻がスマートスピーカＳＫに対して、依頼したい買い物について例えば「お父さん、豆腐を買ってきて！」と発話すると、スマートスピーカＳＫからは、当該発話の内容に相当する依頼メッセージがネットワークＮＷを介してサーバ装置Ｓに送信される。そしてサーバ装置Ｓからは、当該依頼メッセージの内容（即ち上記発話の内容）に相当する内容を有する表示メッセージが、スマートフォンＳＰ及びナビゲーション装置ＮＶにネットワークＮＷを介してそれぞれ送信される。またサーバ装置Ｓは、夫が車両の運転中か否かを判定し、運転中である場合には、当該買い物（豆腐）を買うために立ち寄るべき施設（例えばスーパーマーケット等）を示す立寄地情報をナビゲーション装置ＮＶに対してネットワークＮＷを介して送信する。なお以下の説明において、当該立ち寄るべき施設を単に「立寄地」と称する。これらによりスマートフォンＳＰは、上記送信された表示メッセージに相当する表示を行う。更にナビゲーション装置ＮＶは、同じく送信された表示メッセージに相当する表示を行うと共に、上記送信された立寄地情報により示される立寄地を設定し、当該立寄地までの車両の移動を案内する。その後ナビゲーション装置ＮＶは、夫が運転する車両が当該立寄地に到着した場合、又は当該立寄地から出発した場合に、それぞれの旨を示す到着メッセージ又は出発メッセージを、ネットワークＮＷを介してサーバ装置Ｓに送信する。これによりサーバ装置Ｓは、当該到着メッセージ又は出発メッセージに対応する立寄完了メッセージをスマートスピーカＳＫに送信する。そしてスマートスピーカＳＫは、当該立寄完了メッセージの内容に相当する発話を行う。これにより、スマートスピーカＳＫを操作する妻は、依頼した買い物のために夫が立寄地に立ち寄ったことを認識する。
【００２０】
なおサーバ装置Ｓは、夫が既に車両を降りている場合には、その旨を示す降車メッセージをスマートスピーカＳＫに送信する。そしてスマートスピーカＳＫは、当該降車メッセージの内容に相当する発話を行う。これにより、スマートスピーカＳＫを操作する妻は、依頼した買い物が買われていないであろうことを認識する。
【００２１】
次に、第１実施例に係るサーバ装置Ｓ等の概要構成について、図３を用いて説明する。
【００２２】
初めに、第１実施例に係るサーバ装置Ｓの概要構成について、図３（ａ）を用いて説明する。図３（ａ）に示すように、第１実施例に係るサーバ装置Ｓは、インターフェース１と、ＣＰＵ、ＲＯＭ（Read Only Memory）及びＲＡＭ（Random Access Memory）等からなる処理部２と、液晶ディスプレイ等からなるディスプレイ３と、キーボード及びマウス等からなる操作部４と、例えばＨＤＤ（Hard Disc Drive）又はＳＳＤ（Solid State Drive）等からなる記録部５と、により構成されている。このとき、インターフェース１が実施形態に係る取得手段１の一例に相当し、処理部２が実施形態に係る送信制御手段２の一例に相当する。また処理部２が、本願に係る「認識手段」の一例、本願に係る「位置情報取得手段」の一例、本願に係る「検索手段」の一例、本願に係る「探索手段」の一例及び本願に係る「経由検出手段」の一例に、それぞれ相当する。
【００２３】
この構成においてインターフェース１は、処理部２の制御の下、サーバ装置Ｓと、スマートスピーカＳＫ並びにナビゲーション装置ＮＶ及びスマートフォンＳＰと、の間のネットワークＮＷを介したメッセージの授受を制御する。また記録部５には、第１実施例に係る情報処理のうちサーバ装置Ｓが実行すべき処理に相当するプログラムが不揮発性に記録されていると共に、当該情報処理の実行に際して必要なデータ等が一時的に記録される。一方操作部４は、サーバ装置Ｓの動作を指示するための管理者又は操作者による操作が当該操作部４において実行されると、当該操作に対応する操作信号を生成して処理部２に出力する。これにより処理部２は、当該操作信号に基づき、記録部５に記録されている上記プログラムや上記データを用いつつ、スマートスピーカＳＫ並びにスマートフォンＳＰ及びナビゲーション装置ＮＶとの間で必要なメッセージの授受を行って、第１実施例に係る情報処理のうちサーバ装置Ｓが実行すべき処理を中心的に実行する。更に当該処理の実行に必要なデータはディスプレイ３を介して上記管理者又は上記操作者に提示される。
【００２４】
次に、第１実施例に係るスマートスピーカＳＫの概要構成について、図３（ｂ）を用いて説明する。図３（ｂ）に示すように、第１実施例に係るスマートスピーカＳＫは、インターフェース１０と、ＣＰＵ１１と、小型液晶ディスプレイ又はＬＥＤ（Light Emission Diode）等からなるインジケータ１２と、操作ボタン等からなる操作部１３と、スピーカ１４と、ＲＯＭ及びＲＡＭ等からなるメモリ１５と、マイク１６と、により構成されている。この構成においてインターフェース１０は、ＣＰＵ１１の制御の下、サーバ装置Ｓとの間のネットワークＮＷを介したメッセージの授受を制御する。またメモリ１５には、第１実施例に係る情報処理のうちスマートスピーカＳＫが実行すべき処理に相当するプログラムが不揮発性に記録されていると共に、当該情報処理の実行に際して必要なデータ等が一時的に記録される。一方操作部１３は、スマートスピーカＳＫの動作（例えば、送信者による発話の検出）を指示するための送信者による操作が当該操作部１３において実行されると、当該操作に対応する操作信号を生成してＣＰＵ１１に出力する。これによりＣＰＵ１１は、当該操作信号に基づき、メモリ１５に記録されている上記プログラムや上記データを用いつつ、サーバ装置Ｓとの間で必要なメッセージの授受を行って、第１実施例に係る情報処理のうちスマートスピーカＳＫが実行すべき処理を中心的に実行する。更に当該処理の実行状態は、ＣＰＵ１１の制御の下、インジケータ１２を介して送信者に提示される。またマイク１６は、ＣＰＵ１１の制御の下、送信者がスマートスピーカＳＫに向かって発話したとき、その音声を検出し、対応する音声データをＣＰＵ１１に出力する。更にスピーカ１４は、ＣＰＵ１１の制御の下、当該処理として必要な音声を出力して送信者に認識させる。
【００２５】
次に、第１実施例に係るナビゲーション装置ＮＶの概要構成について、図３（ｃ）を用いて説明する。図３（ｃ）に示すように、第１実施例に係るナビゲーション装置ＮＶは、インターフェース２０と、ＣＰＵ、ＲＯＭ及びＲＡＭ等からなる処理部２１と、液晶ディスプレイ等からなるディスプレイ２２と、操作ボタン、タッチパネル及びリモコン等からなる操作部２３と、スピーカ２４と、ＧＰＳ（Global Positioning System）センサ等からなるセンサ部２５と、例えばＨＤＤ又はＳＳＤ等からなる記録部２６と、により構成されている。この構成においてインターフェース２０は、処理部２１の制御の下、サーバ装置Ｓとの間のネットワークＮＷを介したメッセージの授受を制御する。また記録部２６には、第１実施例に係る情報処理のうちナビゲーション装置ＮＶが実行すべき処理に相当するプログラムやナビゲーション装置ＮＶが搭載されている車両の案内に必要な地図データ等が不揮発性に記録されていると共に、当該情報処理の実行に際して必要なデータ等が一時的に記録される。一方操作部２３は、ナビゲーション装置ＮＶの動作（例えば目的地の設定等）を指示するための受信者による操作が当該操作部２３において実行されると、当該操作に対応する操作信号を生成して処理部２１に出力する。これにより処理部２１は、当該操作信号に基づき、記録部２６に記録されている上記プログラムや上記データを用いつつ、サーバ装置Ｓとの間で必要なメッセージの授受を行って、第１実施例に係る情報処理のうちナビゲーション装置ＮＶが実行すべき処理を中心的に実行する。このとき当該処理には、上記ＧＰＳセンサを用いたナビゲーション装置ＮＶの現在位置の検出処理、上述した立寄地の検索処理、及び当該検索された立寄地への案内処理等が含まれる。更に当該処理の実行状態は、処理部２１の制御の下、ディスプレイ２２を介して受信者に提示される。またスピーカ２４は、処理部２１の制御の下、当該処理として必要な案内音声を出力して受信者に認識させる。
【００２６】
最後に、第１実施例に係るスマートフォンＳＰの概要構成について、図３（ｄ）を用いて説明する。図３（ｄ）に示すように、第１実施例に係るスマートフォンＳＰは、インターフェース３０と、ＣＰＵ３１と、小型液晶ディスプレイ等からなるディスプレイ３２と、操作ボタン等からなる操作部３３と、スピーカ３４と、ＧＰＳセンサ等からなるセンサ部３５と、ＲＯＭ及びＲＡＭ等からなるメモリ３６と、により構成されている。この構成においてインターフェース３０は、ＣＰＵ３１の制御の下、サーバ装置Ｓとの間のネットワークＮＷを介したメッセージの授受を制御する。またメモリ３６には、第１実施例に係る情報処理のうちスマートフォンＳＰが実行すべき処理に相当するプログラムが不揮発性に記録されていると共に、当該情報処理の実行に際して必要なデータ等が一時的に記録される。一方操作部３３は、スマートフォンＳＰの動作を指示するための受信者による操作が当該操作部３３において実行されると、当該操作に対応する操作信号を生成してＣＰＵ３１に出力する。これによりＣＰＵ３１は、当該操作信号に基づき、メモリ３６に記録されている上記プログラムや上記データを用いつつ、サーバ装置Ｓとの間で必要なメッセージの授受を行って、第１実施例に係る情報処理のうちスマートフォンＳＰが実行すべき処理を中心的に実行する。このとき当該処理には、上記ＧＰＳセンサを用いたスマートフォンＳＰの現在位置の検出処理等が含まれる。更に当該処理の実行状態は、ＣＰＵ３１の制御の下、ディスプレイ３２を介して受信者に提示される。またスピーカ３４は、ＣＰＵ３１の制御の下、当該処理として必要な音声を出力して受信者に認識させる。
【００２７】
次に、上記サーバ装置Ｓ等により実行される、第１実施例に係る情報処理について、纏めて図４を用いて説明する。なお図４において、サーバ装置ＳとスマートスピーカＳＫ等との間で授受される各メッセージの流れは、破線矢印で示されている。また図４にそれぞれ示すサーバ装置Ｓ、スマートスピーカＳＫ、ナビゲーション装置ＮＶ及びスマートフォンＳＰにおける処理は、例えば、これらサーバ装置Ｓ等の電源がオンとされたタイミングから開始される。
【００２８】
図４に示すように、先ずスマートフォンＳＰのＣＰＵ３１及びナビゲーション装置ＮＶの処理部２１はそれぞれ、第１実施例に係る情報処理が開始されると、センサ部２５を用いたスマートフォンＳＰの現在位置等の検出処理、及びセンサ部３５を用いたナビゲーション装置ＮＶの現在位置等の検出処理をそれぞれ行う。その後上記ＣＰＵ３１及び上記処理部２１はそれぞれ、上記検出された現在位置等を含む現状情報をサーバ装置Ｓに送信するために予め設定されたタイミングが到来したか否かを監視する（ステップＳ２５及びステップＳ３０）。ステップＳ２５及びステップＳ３０の監視において、当該タイミングが到来していない場合（ステップＳ２５：ＮＯ及びステップＳ３０：ＮＯ）、上記ＣＰＵ３１及び上記処理部２１はそれぞれ、当該タイミングの到来の監視を継続する。一方ステップＳ２５及びステップＳ３０の監視において、当該タイミングが到来していた場合（ステップＳ２５：ＹＥＳ及びステップＳ３０：ＹＥＳ）、上記ＣＰＵ３１及び上記処理部２１はそれぞれ、スマートフォンＳＰ及びナビゲーション装置ＮＶとしての上記現状情報を、ネットワークＮＷを介してサーバ装置Ｓに送信する（ステップＳ２６及びステップＳ３１）。その後ＣＰＵ３１及び処理部２１はそれぞれ、第１実施例に係る後述の表示メッセージの受信を監視する（ステップＳ２７及びステップＳ３２）。ステップＳ２７及びステップＳ３２の監視において、当該表示メッセージを受信していない場合（ステップＳ２７：ＮＯ及びステップＳ３２：ＮＯ）、上記ＣＰＵ３１及び上記処理部２１はそれぞれ、当該表示メッセージの受信の監視を継続する。
【００２９】
一方スマートスピーカＳＫのＣＰＵ１１は、第１実施例に係る情報処理が開始されると、マイク１６からの音声データに基づき、例えば上記「お父さん、豆腐を買ってきて！」のような送信者の依頼の発話があったか否かを監視する（ステップＳ１）。ステップＳ１の監視において当該発話がない場合（ステップＳ１：ＮＯ）、ＣＰＵ１１は引き続き当該監視を継続する。一方ステップＳ１の監視において当該発話があった場合（ステップＳ１：ＹＥＳ）、ＣＰＵ１１は、当該発話に相当する音声メッセージである上記依頼メッセージを生成し、ネットワークＮＷを介して当該生成された依頼メッセージをサーバ装置Ｓに送信する（ステップＳ２）。その後ＣＰＵ１１は、サーバ装置Ｓからの何らかのメッセージの受信を監視する（ステップＳ３）。ステップＳ３の監視において何らメッセージの受信がない場合（ステップＳ３：ＮＯ）、ＣＰＵ１１は引き続き当該監視を継続する。
【００３０】
他方サーバ装置Ｓの処理部２は、第１実施例に係る情報処理が開始されると、スマートフォンＳＰ又はナビゲーション装置ＮＶのいずれか又は双方から上記現状情報がネットワークＮＷを介して送信されてきたか否かを監視する（ステップＳ１０）。ステップＳ１０の監視において当該現状情報の受信がない場合（ステップＳ１０：ＮＯ）、処理部２は引き続き当該監視を継続する。一方ステップＳ１０の監視において当該現状情報を受信した場合（ステップＳ１０：ＹＥＳ）、処理部２は当該現状情報を記録部５に記録する（ステップＳ１１）。これによりサーバ装置Ｓでは、スマートフォンＳＰ及びナビゲーション装置ＮＶそれぞれの現在位置等を把握できることになる。
【００３１】
次に処理部２は、スマートスピーカＳＫから上記依頼メッセージがネットワークＮＷを介して送信されてきたか否かを監視する（ステップＳ１２）。ステップＳ１２の監視において当該依頼メッセージの受信がない場合（ステップＳ１２：ＮＯ）、処理部２は引き続き当該監視を継続する。一方ステップＳ１２の監視において依頼メッセージを受信した場合（ステップＳ１２：ＹＥＳ）、処理部２は音声メッセージとしてのその内容を例えば従来と同様の音声認識手法を用いて解析する（ステップＳ１３）。このときより具体的に処理部２は、上記従来と同様の音声認識手法により上記音声メッセージを一旦文字情報に変換した後、依頼メッセージに係る動作（行動）の主体を示す単語（例えば、「お父さん」、具体的な氏名又は当該主体の愛称等）から、上記表示メッセージ等の送信対象たる受信者を決定する。そして処理部２は、当該解析結果に基づいて、上記依頼メッセージの内容に相当する内容を有する上記表示メッセージを生成し、ネットワークＮＷを介してスマートフォンＳＰに送信する（ステップＳ１４）。そして、当該表示メッセージが送信されたスマートフォンＳＰのＣＰＵ３１は、当該表示メッセージを受信し（ステップＳ２７：ＹＥＳ）、更に当該受信した表示メッセージをディスプレイ３２上に表示する（ステップＳ２８）。これによりスマートフォンＳＰを携帯する受信者は、送信者から上記依頼メッセージに関連する依頼（即ち、豆腐を買ってきて欲しい旨の依頼）があったことを認識する。その後スマートフォンＳＰのＣＰＵ３１は、例えばスマートフォンＳＰの電源スイッチがオフとされた等の理由により第１実施例に係る情報処理のうちスマートフォンＳＰが実行すべき処理を終了するか否かを判定する（ステップＳ２９）。ステップＳ２９の判定において当該処理を終了しない場合（ステップＳ２９：ＮＯ）、ＣＰＵ３１は上記ステップＳ２５に戻って上述してきた当該処理を繰り返す。
【００３２】
一方上記ステップＳ１４で表示メッセージを送信したサーバ装置Ｓの処理部２は次に、上記ステップＳ１０及び上記ステップＳ１１で受信して記録しているナビゲーション装置ＮＶ及びスマートフォンＳＰそれぞれからの各現状情報に基づき、当該ナビゲーション装置ＮＶを使用している受信者の状態が、「乗車前」であるか、「乗車中」であるか、或いは「降車」であるかを判定する（ステップＳ１５）。
【００３３】
ここで、上記ステップＳ１５の判定の方法については、例えば以下のｉ）乃至iv）の方法が挙げられる。
ｉ）スマートフォンＳＰの現在位置が例えば受信者の職場付近又は営業上の立寄地点付近であり、且つ、ナビゲーション装置ＮＶの電源スイッチがオフであるか又はナビゲーション装置ＮＶとネットワークＮＷとが接続されていない（即ちオフラインである）場合は、「乗車前」と判定する。
ii）ナビゲーション装置ＮＶを受信者のみが使用する場合であって、ナビゲーション装置ＮＶの電源スイッチがオンであるか又はナビゲーション装置ＮＶとネットワークＮＷとが接続されている（即ちオンラインである）場合は、「乗車中」と判定する。
iii）受信者を含む複数人が時間を分けてナビゲーション装置ＮＶを使用する場合であって、スマートフォンＳＰの現在位置とナビゲーション装置ＮＶの現在位置とが同一と判断できる位置関係にあるか、又は、スマートフォンＳＰとナビゲーション装置ＮＶとが近距離無線通信又は無線ＬＡＮ（Local Area Network）により接続されている場合は、「乗車中」と判定する。
iv）スマートフォンＳＰの現在位置が送信者の自宅付近であり、且つ、ナビゲーション装置ＮＶの電源スイッチがオフであるか又はナビゲーション装置ＮＶとネットワークＮＷとが接続されていない場合は、「降車」と判定する。
【００３４】
また、その他の上記ステップＳ１５の判定の方法としては、例えば、
ｖ）スマートフォンＳＰの現在位置とナビゲーション装置ＮＶの現在位置とが同一と判断できる位置関係にあって共に移動している場合は「乗車中」と判定する方法、
vi）時間帯に応じて予め検出された受信者の乗車（移動）パターンに沿っていれば「乗車中」と判定する方法、又は、
vii）ナビゲーション装置ＮＶ又はスマートフォンＳＰにおいて手動により「乗車中」、「乗車前」又は「降車」と設定されたか否かに応じて、それぞれ、「乗車中」、「乗車前」又は「降車」と判定する方法、
などが挙げられる。
【００３５】
ステップＳ１５の判定において、受信者が乗車前であると判定された場合（ステップＳ１５：乗車前）、サーバ装置Ｓの処理部２は、例えば予め設定された時間の経過後に再度ステップＳ１５の判定を行う。他方ステップＳ１５の判定において受信者が乗車中であると判定された場合（ステップＳ１５：乗車中）、処理部２は、ステップＳ１４でスマートフォンＳＰ宛に送信した表示メッセージと同様の表示メッセージを、ネットワークＮＷを介してナビゲーション装置ＮＶに送信する（ステップＳ１６）。そして、当該表示メッセージが送信されたナビゲーション装置ＮＶの処理部２１は、当該表示メッセージを受信し（ステップＳ３２：ＹＥＳ）、更に当該受信した表示メッセージをディスプレイ２２上に表示する（ステップＳ３３）。これによりナビゲーション装置ＮＶを使用している受信者は、送信者から上記依頼メッセージに関連する依頼（即ち、豆腐を買ってきて欲しい旨の依頼）があったことを認識する。
【００３６】
他方、上記ステップＳ１６に続いてサーバ装置Ｓの処理部２は、上記依頼メッセージに関連する立寄地（即ち、豆腐を購入するために立ち寄るべきスーパーマーケット等）を、記録部２６に記録されている地図データ等を用いて検索し、更にナビゲーション装置ＮＶの現在位置から当該検索した立寄地までの経路を探索する（ステップＳ１７）。このステップＳ１７としての立寄地の検索において、より具体的に処理部２は、立寄地としての店舗名や施設属性（例えば「スーパーマーケット」等の属性）、目的物（例えば「豆腐」等の商品名）とそれに対応した行動（買うこと）、を示す単語又は単語群から、上記ステップＳ１５における解析結果を用いて立寄地としての施設を特定（検索）する。また上記ステップＳ１７において処理部２は、例えば自宅への帰路にあるときは当該帰路上にある上記立寄地を検索してもよいし、他の場所への移動中であるときはその移動経路上にある上記立寄地を検索してもよいし、或いは、ナビゲーション装置ＮＶの現在位置に最も近い位置にある上記立寄地を検索してもよい。
【００３７】
その後処理部２は、ステップＳ１７における立寄地の検索結果及び当該立寄地までの経路の探索結果を含む上記立寄地情報を生成し、ネットワークＮＷを介してナビゲーション装置ＮＶに送信する（ステップＳ１８）。その後処理部２は、ナビゲーション装置ＮＶから上記到着メッセージ又は上記出発メッセージが送信されて来たか否かを監視する（ステップＳ１９）。ステップＳ１９の監視において、上記到着メッセージ又は上記出発メッセージのいずれも受信しない場合（ステップＳ１９：ＮＯ）、処理部２は引き続き当該監視を継続する。
【００３８】
一方、上記ステップＳ３３に続いてナビゲーション装置ＮＶの処理部２１は、上記ステップＳ１８によりサーバ装置Ｓから送信された立寄地情報を受信する（ステップＳ３４）。そして処理部２１は、当該受信した立寄地情報に含まれている上記立寄地の情報及び上記経路の情報に基づいて、当該立寄地の設定及び当該立寄地までの車両の案内を行う（ステップＳ３５）。このステップＳ３５としての案内自体は、従来と同様の方法を用いて行うことができる。その後処理部２１は、当該立寄地に車両が到着したか否かを監視する（ステップＳ３６）。ステップＳ３６の監視において、未だ車両が当該立寄地に到着していない場合（ステップＳ３６：ＮＯ）、処理部２１は引き続き当該監視を継続する。一方ステップＳ３６の判定において、車両が当該立寄地に到着した場合（ステップＳ３６：ＹＥＳ）、処理部２１は、当該到着時における当該到着した旨の到着メッセージ、又は当該立寄地を出発する時における当該出発した旨の出発メッセージ、のいずれかのネットワークＮＷを介したサーバ装置Ｓへの送信を行う（ステップＳ３７）。その後処理部２１は、例えばナビゲーション装置ＮＶの電源スイッチがオフとされた等の理由により第１実施例に係る情報処理のうちナビゲーション装置ＮＶが実行すべき処理を終了するか否かを判定する（ステップＳ３８）。ステップＳ３８の判定において当該処理を終了しない場合（ステップＳ３８：ＮＯ）、処理部２１は上記ステップＳ３０に戻って上述してきた当該処理を繰り返す。
【００３９】
次に上記ステップＳ１９の監視において、上記ステップＳ３７で送信された到着メッセージ又は出発メッセージのいずれかを受信した場合（ステップＳ１９：ＹＥＳ）、サーバ装置Ｓの処理部２は、受信者が依頼メッセージに関連する立寄地に立ち寄った旨の上記立寄完了メッセージを生成し、ネットワークＮＷを介してスマートスピーカＳＫに送信する（ステップＳ２０）。その後処理部２は、例えばサーバ装置Ｓの電源スイッチがオフとされた等の理由により第１実施例に係る情報処理のうちサーバ装置Ｓが実行すべき処理を終了するか否かを判定する（ステップＳ２２）。ステップＳ２２の判定において当該処理を終了しない場合（ステップＳ２２：ＮＯ）、処理部２は上記ステップＳ１０に戻って上述してきた当該処理を繰り返す。
【００４０】
他方、上記ステップＳ１５の判定において、受信者が降車していると判定された場合（ステップＳ１５：降車）、処理部２は、当該降車した旨（換言すれば、依頼メッセージに関連する立寄地への立ち寄りが行われなかった旨）を示す降車メッセーを生成し、ネットワークＮＷを介してスマートスピーカＳＫに送信する（ステップＳ２１）。その後処理部２は上記ステップＳ２２に移行する。
【００４１】
次に、上記ステップＳ３の監視において上記立寄完了メッセージ（ステップＳ２０参照）又は上記降車メッセージ（ステップＳ２１参照）のいずれかを受信した場合（ステップＳ３：ＹＥＳ）、スマートスピーカＳＫのＣＰＵ１１は、スピーカ１４を用いて当該いずれかの内容を出力する。これにより送信者は、ステップＳ１で発話した依頼メッセージに関連する立寄地への立ち寄りが行われた旨（ステップＳ３で立寄完了メッセージを受信した場合）、又は当該立寄地への立ち寄りが行われなかった旨（ステップＳ３で降車メッセージを受信した場合）のいずれかを認識する。その後ＣＰＵ１１は、例えばスマートスピーカＳＫの電源スイッチがオフとされた等の理由により第１実施例に係る情報処理のうちスマートスピーカＳＫが実行すべき処理を終了するか否かを判定する（ステップＳ５）。ステップＳ５の判定において当該処理を終了しない場合（ステップＳ５：ＮＯ）、ＣＰＵ１１は上記ステップＳ１に戻って上述してきた当該処理を繰り返す。
【００４２】
以上説明したように、第１実施例に係る情報処理によれば、受信者が車両に乗車中（運転中）である場合（図４ステップＳ１５：「乗車中」参照）において、スマートスピーカＳＫから取得した依頼メッセージに関連する立寄地を示す立寄地情報を、受信者の運転の案内用としてナビゲーション装置ＮＶに送信するので（図４ステップＳ１８参照）、受信者が取るべき行動（立ち寄り）が送信者により示されている場合に、運転中の受信者の手間を取らせることなく、その行動に関連する立寄地へ受信者を案内することができる。
【００４３】
また、受信者のスマートフォンＳＰには表示メッセージを送信されるので（図４ステップＳ１４参照）、当該スマートフォンＳＰでも立寄地における行動の情報を確認することができる。
【００４４】
更に、依頼メッセージが、送信者が発話した行動に相当する音声データであり、その認識結果に基づき、ナビゲーション装置ＮＶに対して立寄地情報を案内用に送信するので、送信者の発話の内容に基づき、関連する立寄地に受信者を案内することができる。
【００４５】
更にまた、受信者のナビゲーション装置ＮＶの位置を含む現状情報を取得し（図４ステップＳ１０参照）、依頼メッセージに関連する立寄地の位置を検索し、当該ナビゲーション装置ＮＶの位置から立寄地の位置までの経路を探索し（図４ステップＳ１７参照）、ナビゲーション装置ＮＶに対して、経路を含む立寄地情報を送信する（図４ステップＳ１８参照）ので、運転中の受信者の手間を取らせることなく、関連する立寄地まで受信者を案内することができる。
【００４６】
また図４ステップＳ１７において、ナビゲーション装置ＮＶの現在位置に最も近い立寄地を検索する場合は、当該ナビゲーション装置ＮＶの位置に最も近く且つ依頼メッセージに関連する立寄地まで、当該受信者を案内させることができる。一方図４ステップＳ１７において、予め設定されている車両の経路上の立寄地を検索する場合は、当該経路上にあり且つ依頼メッセージに関連する立寄地まで、当該受信者を案内させることができる。
【００４７】
更に、ナビゲーション装置ＮＶが立寄地を経由したことが検出された場合に（図４ステップＳ１９参照）、当該経由の旨の立寄完了メッセージをスマートスピーカＳＫに送信するので（図４ステップＳ２０参照）、送信者は当該経由を認識することができる。
【００４８】
更にまた、受信者が関連する立寄地に立ち寄れなかった場合（図４ステップＳ１５：降車）に、立寄完了メッセージに代えて降車メッセージをスマートスピーカＳＫに送信するので、送信者は当該立ち寄りがされなかった旨を迅速に認識することができる。
【００４９】
（II）第２実施例
次に、上述した実施形態に対応する他の実施例である第２実施例について、図５を用いて説明する。なお図５は、第２実施例に係る情報処理を示すフローチャートである。
【００５０】
ここで、第２実施例に係る情報処理システム及びサーバ装置等のハードウェア的な構成は、基本的には第１実施例に係る情報処理システムＳＳ及びサーバ装置Ｓ等のハードウェア的な構成と同様である。よって以下の第２実施例に係る情報処理システム及びサーバ装置等の説明では、第１実施例に係る情報処理システムＳＳ及びサーバ装置Ｓ等と同様の構成部材については、同一の部材番号を用いて細部の説明は省略する。また同様に、第２実施例に係る情報処理において、第１実施例に係る情報処理と同様の処理については同一のステップ番号を用いて細部の説明は省略する。
【００５１】
上述した第１実施例に係る情報処理では、そのステップＳ１５において、受信者の状態が、「乗車前」であるか、「乗車中」であるか、或いは「降車」であるかを判定した。これに対して第２実施例に係る情報処理では、受信者の状態としては「乗車中」であるか否かのみを判定する。
【００５２】
即ち図５に示すように、第２実施例に係る情報処理では、スマートスピーカＳＫにおいて第１実施例と同様のステップＳ１及びステップＳ２が実行された後、サーバ装置Ｓにおいて第１実施例と同様のステップＳ１０乃至ステップＳ１４が実行される。
【００５３】
なお、第２実施例に係る情報処理のうちスマートフォンＳＰが実行すべき処理（ステップＳ２５乃至ステップＳ２９）、及び第２実施例に係る情報処理のうちナビゲーション装置ＮＶが実行すべき処理（ステップＳ３０乃至ステップＳ３８）は、それぞれ、第１実施例に係る情報処理のうちスマートフォンＳＰが実行すべき処理、及び第１実施例に係る情報処理のうちナビゲーション装置ＮＶが実行すべき処理と同様である。
【００５４】
そして、ステップＳ１４に続いてサーバ装置Ｓの処理部２は、ステップＳ１０及び上記ステップＳ１１で受信して記録しているナビゲーション装置ＮＶ及びスマートフォンＳＰそれぞれからの各現状情報に基づき、当該ナビゲーション装置ＮＶを使用している受信者の状態が乗車中であるか否かを判定する（ステップＳ４０）。ここで、上記ステップＳ４０の判定の方法については、第１実施例に係る情報処理におけるステップＳ１５のii）の方法乃至vii）の方法のいずれかを用いて、受信者が乗車中であるか否かを判定することができる。
【００５５】
そして、ステップＳ４０の判定において受信者の状態が乗車中でない場合（ステップＳ４０：ＮＯ）、処理部２は、当該乗車中となるまで、例えば一定時間ごとにステップＳ４０の判定を繰り返す。一方ステップＳ４０の判定において受信者の状態が乗車中である場合（ステップＳ４０：ＹＥＳ）、その後処理部２は、第１実施例と同様のステップＳ１６乃至ステップＳ２０及びステップＳ２２を実行する。なお第２実施例に係る情報処理のうちサーバ装置Ｓが実行すべき処理では、第１実施例におけるステップＳ１９は実行されない（図４参照）。
【００５６】
その後、スマートスピーカＳＫのＣＰＵ１１は、ステップＳ３においてサーバ装置Ｓからの立寄完了メッセージを受信したら（ステップＳ３：ＹＥＳ）、第１実施例と同様のステップＳ４及びステップＳ５を実行する。
【００５７】
以上説明したように、第２実施例に係る情報処理によれば、より簡易な処理で第１実施例に係る情報処理と同様の作用効果（但し、第１実施例に係る降車メッセージの送受信による作用効果を除く）を奏することができる。
【００５８】
なお、上述した第１実施例に係る情報処理及び第２実施例に係る情報処理それぞれのステップＳ１７において、例えば、依頼メッセージに関連する立寄地までの距離が余りに遠かったり、受信者が運転する車両が移動予定の経路上に当該立寄地がなかったり、或いは自宅に到着していたといった理由により当該関連する立寄地が検索できなかった場合、上記立寄完了メッセージ及び降車メッセージに代えてその旨を示す検索不能メッセージをスマートスピーカＳＫに送信するように構成してもよい。この場合でも、送信者が当該検索ができなかった旨を迅速に認識することができる。
【００５９】
また上述した各実施例では、関連する立寄地までの経路の探索をサーバ装置Ｓで行うように構成したが、これ以外に、検索された（図４及び図５ステップＳ１７参照）立寄地を示す立寄地情報のみをナビゲーション装置ＮＶに送信し、当該立寄地までの経路はナビゲーション装置ＮＶで探索して案内するように構成してもよい。
【００６０】
更に上述した各実施例では、スマートフォンＳＰを携帯する受信者が、ナビゲーション装置ＮＶが備えられた車両を運転中である場合について説明したが、これ以外に、当該車両が二輪車（自転車又が自動二輪車）であり、受信者がこれを使って移動している場合に本願を適用することもできる。
【００６１】
更にまた上述した各実施例では、立寄地との関係では「立ち寄ったか否か」のみが判定されており、当該立寄地への立ち寄りの目的（各実施例では豆腐の購入）が果たされたか否かまでは判定されていない。このため、例えばその立寄地に設置されているＰＯＳ（Point Of Sale）システムとネットワークＮＷを介して連携することにより、当該目的自体が果たされたか否かをサーバ装置Ｓ等において判定し、その結果をスマートスピーカＳＫにメッセージとして送信するように構成してもよい。
【００６２】
また上述した各実施例では、送信者からの依頼メッセージに対応する表示メッセージを受信者が携帯するスマートフォンＳＰ及びナビゲーション装置ＮＶにそれぞれ送信すると共に、上記立寄地情報をナビゲーション装置ＮＶに送信する構成とした。これに対して、当該立寄地情報と、当該表示メッセージ及び立寄地情報に対応した受信者の行動を示す行動情報と、の送信先については、各実施例における送信先の他に、以下のようなパターンが考えられる。
（ａ）ナビゲーション装置ＮＶには行動情報及び立寄地情報を共に送信し、スマートフォンＳＰにはいずれも送信しないパターン。このパターンの場合は、スマートフォンＳＰにメッセージが送信されないので、例えば、運転者中の受信者の不注意を生起させない等の効果を奏し得る。
（ｂ）ナビゲーション装置ＮＶには行動情報及び立寄地情報を共に送信し、スマートフォンＳＰには行動情報のみを送信するパターン。このパターンの場合は、スマートフォンＳＰには行動情報が送信されるので、例えば、車両を離れた受信者がその後にどのような行動をすればよいか（各実施例の場合は何を買えばよいか）、確認することができるという効果を奏し得る。またこのパターンにおいて、受信者が運転中であれば、その目的地に到着した後にスマートフォンＳＰに行動情報を送信するのが好適である。また更に、行動情報の送信対象を、受信者が携帯する携帯端末（スマートフォンＳＰ等）に絞ることも可能である。
（ｃ）ナビゲーション装置ＮＶに行動情報及び立寄地情報を共に送信すると共に、スマートフォンＳＰにも行動情報及び立寄地情報を共に送信するパターン。このパターンの場合も、上記（ｂ）のパターンと同様の効果及び工夫点が考えられる。
【００６３】
更に、その他のパターンとしては、以下のパターンが挙げられる。
（ｄ）ナビゲーション装置ＮＶには立寄地情報のみを送信し、スマートフォンＳＰにはいずれの送信もしないパターン。
（ｅ）ナビゲーション装置ＮＶには立寄地情報のみを送信し、スマートフォンＳＰには行動情報のみを送信するパターン。
（ｆ）ナビゲーション装置ＮＶには立寄地情報のみを送信し、スマートフォンＳＰには行動情報及び立寄地情報を共に送信するパターン。
【００６４】
また上述した各実施例では、受信者へ送信すべき行動情報に対応する依頼メッセージの内容に相当する内容の表示メッセージをナビゲーション装置ＮＶ及びスマートフォンＳＰに送信して表示させることとしたが、当該依頼メッセージの元となった音声メッセージ自体をナビゲーション装置ＮＶ及び／又はスマートフォンＳＰに送信して再生させるように構成してもよいし、当該表示メッセージの内容をナビゲーション装置ＮＶ及び／又はスマートフォンＳＰの機械音声等を用いて読み上げるように構成してもよい。更にまた、受信者へ送信する行動情報としては、送信者の音声メッセージそのままの内容に限らず、それを使った依頼の内容を要約したものでもよい。
【００６５】
また、いわゆる自動運転中の車両の制御に本願を適用する例として、当該自動運転で走行中の車両に対して、その制御を行う制御装置（例えばナビゲーション装置）に立寄地情報を送信することで、必要な立寄地への立寄りを行わせるように構成してもよい。
【００６６】
更に、受信者の受信端末としては、上述した各実施例におけるナビゲーション装置ＮＶとスマートフォンＳＰとの組み合わせだけではなく、車両内に配置されたスマートスピーカ（即ち、音声を用いて車両を案内するスマートスピーカ）とスマートフォンとの組み合わせでもよい。
【００６７】
更にまた、上述した各実施例における音声認識処理（図４及び図５のステップＳ１３参照）及び立寄地検索処理（図４及び図５のステップＳ１７）等、いずれの端末で行ってもよい処理については、それを実施する端末を適宜変更してもよい。
【００６８】
また、図４及び図５にそれぞれ示したフローチャートにそれぞれ相当するプログラムを、光ディスク又はハードディスク等の記録媒体に記録しておき、或いはインターネット等のネットワークを介して取得しておき、これらを汎用のマイクロコンピュータ等に読み出して実行することにより、当該マイクロコンピュータ等を各実施例に係る処理部２、ＣＰＵ１１、処理部２１又はＣＰＵ３１として機能させることも可能である。
【符号の説明】
【００６９】
１    取得手段（インターフェース）
２    送信制御手段（処理部）
Ｓ    情報処理装置（サーバ装置）
ＴＴ    送信端末
ＲＴ１、ＲＴ２    受信端末
ＳＫ    スマートスピーカ
ＳＰ    スマートフォン
ＮＶ    ナビゲーション装置
ＳＳ    情報処理システム
【図１】
2019067140.tif 000003
【図２】
2019067140.tif 000004
【図３】
2019067140.tif 000005
【図４】
2019067140.tif 000006
【図５】
2019067140.tif 000007